(57)【要約】      （修正有）【課題】広く普及している「スタータ形」の蛍光灯器具を交換することなく、「高周波点灯形」の点灯方式に切り替えることができる蛍光灯を提供する。【解決手段】スリムタイプの蛍光管１１と、この蛍光管１１を覆う透明ガラス製の外装管１２と、蛍光管１１と外装管１２との間に所定の空間が形成されるように、蛍光管１１及び外装管１２の両端部を保持する一対のホルダキャップ１３Ａ，１３Ｂとを備える。さらに、このホルダキャップ１３Ａ，１３Ｂによって保持された蛍光管１１及び外装管１２間の空間内に配設される２枚の反射シート１４と、それぞれのホルダキャップ１３Ａ、１３Ｂの内端側が嵌着される、インバータ式点灯回路１５を収容するための円筒状の回路収容ケース１６Ａ、１６Ｂと、各回路収容ケース１６Ａ，１６Ｂの外端側にそれぞれ嵌着される、２本のピン端子１８が連結された端部カバー１７Ａ、１７Ｂとを備えている。【選択図】図２
0003179240.tif 000002
【実用新案登録請求の範囲】
【請求項１】
インバータ式点灯回路が内蔵されていることを特徴とする蛍光灯。
【請求項２】
蛍光管と、前記蛍光管に接続されたインバータ式点灯回路とを備え、前記インバータ式点灯回路の構成要素を、前記蛍光管の一端または両端に配設された回路収容部に収容したことを特徴とする蛍光灯。
【請求項３】
前記蛍光管を覆う、透光性を有する外装管を備えている請求項２に記載の蛍光灯。
【請求項４】
前記蛍光管と前記外装管との間に反射板が配設されている請求項３に記載の蛍光灯。
【考案の詳細な説明】
【技術分野】
【０００１】
本考案は、高周波点灯方式の蛍光灯に関する。
【背景技術】
【０００２】
蛍光灯には、グロースタータという点灯管を用いて点灯させる「スタータ形」、安定器が電極のよねつ予熱と点灯のための高電圧を発生し、蛍光灯器具の近接導体の始動補助作用によって即時点灯する「ラピッドスタータ形」、インバータによって交流電源を一旦直流に代え、さらに高周波に変換して点灯させる「高周波点灯形」といった３種類の点灯方式がある。
【０００３】
「スタータ形」は、スイッチを入れてから点灯までの時間がかかり、若干ちらつきがでやすいという欠点があるものの器具自体の価格が安いので一般的に広く普及している。蛍光灯としては、ＦＬやＦＣＬ等のグロー専用ランプを使用することになり、グローランプと呼ばれる点灯管が別途必要である。
【０００４】
「ラピッドスタータ形」は、スイッチを入れると即時点灯するという利点はあるが、「スタータ形」よりも安定器が大きく重たくなるという欠点がある。点灯管等のスタータは不要であるが、始動補助のための近接導体が必要で、器具が代用する場合と、ランプ自体に設ける場合とがある。蛍光灯はＦＬＲ等のラピッド専用ランプを使用する必要がある。
【０００５】
「高周波点灯形」は、器具自体の価格が高いという欠点はあるが、「ラピッドスタータ形」と同様に、スイッチを入れると即時点灯し、高周波で動作するので、チラツキもなく、ワット数当たりの明るさが明るく、消費電力を抑えることができるという利点がある。また、「スタータ形」のように、フィラメントを加熱する必要がなく、蛍光管の寿命が長くなるので、近年では、「ラピッドスタータ形」に代わって主流となっている。
【先行技術文献】
【特許文献】
【０００６】
【特許文献１】特開２００１−２１６８２２号公報
【考案の概要】
【考案が解決しようとする課題】
【０００７】
上述したように、「高周波点灯形」の点灯方式は、即時点灯すると共に、チラツキが少なく、省エネルギー効果が高いという数々のメリットがあるため、新設の建築物に設置される蛍光灯器具については「高周波点灯形」の点灯方式が採用されているが、既設の建築物の蛍光灯器具として広く普及している「スタータ形」の点灯方式を省エネルギー効果の高い「高周波点灯形」の点灯方式に切り替えようとすると、既に設置されている「スタータ形」の蛍光灯器具を「高周波点灯形」の蛍光灯器具に全て交換しなければならず、特に、駅、事務所ビル、大型店舗、公共施設といった大規模施設では、蛍光灯器具の設置数も多く、膨大な切り替えコストが発生するため、「高周波点灯形」の点灯方式への切り替えが進んでいないのが現状である。
【０００８】
そこで、本考案の課題は、広く普及している「スタータ形」の蛍光灯器具を交換することなく、「高周波点灯形」の点灯方式に切り替えることができる蛍光灯を提供することにある。
【課題を解決するための手段】
【０００９】
上記の課題を解決するため、請求項１に記載の考案に係る蛍光灯は、インバータ式点灯回路が内蔵されていることを特徴とする。
【００１０】
また、上記の課題を解決するため、請求項２に記載の考案に係る蛍光灯は、蛍光管と、前記蛍光管に接続されたインバータ式点灯回路とを備え、前記インバータ式点灯回路の構成要素を、前記蛍光管の一端または両端に配設された回路収容部に収容したことを特徴とする。
【００１１】
また、請求項３に記載の考案に係る蛍光灯は、請求項２に記載の蛍光灯において、前記蛍光管を覆う透光性を有する外装管を備えていることを特徴とする。
【００１２】
また、請求項４に記載の考案に係る蛍光灯は、請求項３に記載の蛍光灯において、前記蛍光管と前記外装管との間に反射板が設置されていることを特徴とする。
【考案の効果】
【００１３】
以上のように、請求項１に記載の考案に係る蛍光灯は、インバータ式点灯回路が内蔵されているので、既設の「スタータ形」の蛍光灯器具に取り付けられている点灯管を外した状態で、本蛍光灯を取り付けるだけで「高周波点灯形」の点灯方式に切り替えることができる。
【００１４】
従って、従来のように既設の「スタータ形」の蛍光灯器具を「高周波点灯形」の蛍光灯器具に交換する必要がなく、「スタータ形」の点灯方式から「高周波点灯形」の点灯方式への切り替えを、簡単かつ低コストで行うことができる。
【００１５】
また、請求項２に記載の考案に係る蛍光灯は、インバータ式点灯回路の構成要素を、蛍光管の一端又は両端に配設された回路収容部に収容したので、従来の蛍光灯と略同一形態となり、従来の蛍光灯と同様に取り扱うことができる。
【００１６】
また、請求項３に記載の考案に係る蛍光灯は、蛍光管を覆う透光性を有する外装管を備えているので、点灯している蛍光灯を蛍光灯器具から取り外す際、蛍光灯を握っても手が熱くならず、取扱性が良いと共に、蛍光管が外装管によって保護されているので、蛍光管が破損しにくいという利点がある。
【００１７】
また、請求項４に記載の考案に係る蛍光灯は、蛍光管と外装管との間に反射板が配設されているので、外部の反射板に依存することなく、効率よく所定の方向に光を反射させることができる。
【図面の簡単な説明】
【００１８】
【図１】本考案に係る蛍光灯の一実施形態を示す斜視図である。
【図２】同上の蛍光灯を示す分解斜視図である。
【図３】同上の蛍光灯に内蔵されているインバータ式点灯回路の回路構成を示すブロック図である。
【図４】同上の蛍光灯における長手方向の中央部分の断面図である。
【図５】（ａ）は「スタータ形」の蛍光灯器具の回路構成を示すブロック図、（ｂ）は同上の蛍光灯を「スタータ形」の蛍光灯器具に取り付けた状態を示すブロック図である。
【考案を実施するための形態】
【００１９】
以下、本考案の実施の形態について図面を参照して説明する。図１及び図２に示すように、本蛍光灯１は、スリムタイプの蛍光管１１と、該蛍光管１１を覆う透明なガラス製の外装管１２と、蛍光管１１と外装管１２との間に所定の空間が形成されるように、蛍光管１１及び外装管１２の両端部を保持する一対のホルダキャップ１３Ａ、１３Ｂと、このホルダキャップ１３Ａ、１３Ｂによって保持された蛍光管１１及び外装管１２間の空間内に配設される２枚の反射シート１４と、それぞれのホルダキャップ１３Ａ、１３Ｂに内端側が嵌着される、インバータ式点灯回路１５を収容するための円筒状の回路収容ケース１６Ａ、１６Ｂと、各回路収容ケース１６Ａ，１６Ｂの外端側にそれぞれ嵌着される、２本のピン端子１８が連結された端部カバー１７Ａ、１７Ｂとを備えており、ホルダキャップ１３Ａ、１３Ｂは、蛍光管１１の端部に嵌着する凹部１３ａと、外装管１２の端部を嵌着する円周溝１３ｂとを有している。
【００２０】
前記インバータ式点灯回路１５は、図３に示すように、整流回路１５ａ、平滑回路１５ｂ、インバータ回路（高周波変換回路）１５ｃ及び高周波安定器１５ｄから構成されており、一方の回路収容ケース１６Ａには、整流回路１５ａ、平滑回路１５ｂ及びインバータ回路１５ｃを含む回路ユニットが収容されると共に、他方の回路収容ケース１６Ｂには、高周波安定器１５ｄを含む回路ユニットが収容されており、蛍光管１１の一端側の端子と蛍光管１１の他端側に配設されている高周波安定器１５ｄ、蛍光管１１の一端側に配設されているインバータ回路１５ｃと蛍光管１１の他端側に配設されている高周波安定器１５ｄ及び蛍光管１１の一端側に配設されている整流回路１５ａと蛍光管１１の他端側の端部カバー１７Ｂのピン端子１８が、図４に示すように、２枚の反射シート１４間に挟み込まれた状態で、蛍光管１１の一端側から他端側に延びるフラットケーブル１９を介して、それぞれ接続されている。
【００２１】
なお、回路収容ケース１６Ａ、１６Ｂに収容されるインバータ式点灯回路１５の各回路ユニットには、蛍光管１１の端子を差し込むコネクタがそれぞれ搭載されており、蛍光管１１をインバータ式点灯回路１５に簡単に接続することができるようになっている。
【００２２】
以上のように、この蛍光灯１には、インバータ式点灯回路１５が内蔵されているので、図５（ａ）に示すような点灯管ＧＬを用いて点灯させる既設の「スタータ形」の蛍光灯器具において、同図（ｂ）に示すように、点灯管ＧＬを外した状態で、グロー専用蛍光灯ＦＬをこの蛍光灯１に取り替えるだけで、「高周波点灯形」の点灯方式に切り替えることができる。
【００２３】
従って、従来のように、既設の「スタータ形」の蛍光灯器具を「高周波点灯形」の蛍光灯器具に交換する必要がなく、「スタータ形」の点灯方式から「高周波点灯形」の点灯方式への切り替えを、簡単かつ低コストに行うことができる。
【００２４】
特に、この蛍光灯１は、インバータ式点灯回路１５の構成要素のうち、整流回路１５ａ、平滑回路１５ｂ及びインバータ回路１５ｃからなる回路ユニットを蛍光管１１の一端側に配設された回路収容ケース１６Ａに、高周波安定器１５ｄを蛍光管１１の他端側の回路収容ケース１６Ｂにそれぞれ収容したので、従来の蛍光灯と略同一形態となり、従来の蛍光灯と同様に鳥圧かつことができる。
【００２５】
また、この蛍光灯１は、蛍光管１１を透明な外装管１２によって覆っているので、点灯している蛍光灯１を蛍光灯器具から取り外す際、蛍光灯（外装管１２）１を握っても手が熱くなく、取扱性が良いと共に、蛍光管１１が外装管１２によって保護されているので、蛍光管１１が破損しにくいという利点がある。
【００２６】
また、この蛍光灯１は、蛍光管１１と外装管１２との間に反射シート１４が配設されているので、蛍光灯器具に取り付ける反射板に依存することなく、効率よく、所定の方向に光を反射させることができる。
【００２７】
また、この蛍光灯１では、２枚の反射シート１４の間にフラットケーブル１９を挟み込んでいるので、フラットケーブル１９が外装管１２を通して視認されることがなく、外観を損なうこともない。
【００２８】
なお、上述した実施形態では、インバータ式点灯回路１５の構成要素を、蛍光管１１の両端側にそれぞれ配設された回路収容ケース１６Ａ、１６Ｂに分離して収容しているが、これに限定されるものではなく、例えば、蛍光管１１の一端側にだけ回路収容ケースを設け、この回路収容ケースにインバータ式点灯回路１５の構成要素の全てを収容するようにしてもよい。
【００２９】
また、上述した実施形態では、透明なガラス製の外装管１２を採用しているが、これに限定されるものではない。外装管は透光性を備えていればよく、プラスチック製の外装管を採用することも可能である。
【００３０】
また、上述した実施形態では、蛍光管１１及び外装管１２間の空間内に反射シート１４を配設しているが、これに限定されるものではなく、反射シート１４を省略することも可能である。
【産業上の利用可能性】
【００３１】
「スタータ形」の点灯方式を、省エネルギー効果の高い「高周波点灯形」の点灯方式に切り替える場合に理容することができる。
【符号の説明】
【００３２】
１  蛍光灯
１１  蛍光管
１２  外装管
１３Ａ、１３Ｂ  ホルダキャップ
１３ａ  凹部
１３ｂ  円周溝
１４  反射シート
１５  インバータ式点灯回路
１５ａ  整流回路
１５ｂ  平滑回路
１５ｃ  インバータ回路（高周波変換回路）
１５ｄ  高周波安定器
１６Ａ、１６Ｂ  回路収容ケース
１７Ａ、１７Ｂ  端部カバー
１８  ピン端子
１９  フラットケーブル
【図１】
0003179240.tif 000003
【図２】
0003179240.tif 000004
【図３】
0003179240.tif 000005
【図４】
0003179240.tif 000006
【図５】
0003179240.tif 000007